(57)【要約】      （修正有）【課題】収納箱に収納された食品包装用の巻回ラップフィルムの取扱いを容易にすることのできる内装部材及びラップフィルム製品を提供する。【解決手段】内装部材１０を、本体部１１と摘み片１３で構成する。本体部は、巻回ラップフィルム２０の上部と前部と下部を囲むべく上片部１１ａ、前片部１１ｂおよび下片部１１ｃを有する断面略コ字状で、後面に、巻回ラップフィルムが通過する後面開放部１１ｄを有する。また、上片部の後端部に、断面略円弧状で巻回ラップフィルム２０の通過を円滑にするガイド部１２を設ける。摘み片は、本体部の前側上端部から回動自在に突設され、収納箱３０の箱本体３１の前壁３１ａと蓋体３２の垂直蓋部３２ａとの間に位置し、おもて面１３ａに巻回ラップフィルムの前端部２０ａが上載される。上片部と前片部との連接角部に補強片Ｐを設け、摘み片の下端中央部に切欠凹部Ｒを設ける。【選択図】図２
0003203681.tif 000002
【実用新案登録請求の範囲】
【請求項１】
前壁（３１ａ）を有する箱本体（３１）に，前記前壁の前面上部を覆うと共に，水平壁部（３２ｂ）と，下端部に切断刃（３３）を設けた垂直蓋部（３２ａ）を有する蓋体（３２）を一体成形した収納箱（３０）に収納された食品包装用の巻回ラップフィルム（２０）の取扱いを容易にすべく，前記収納箱と前記巻回ラップフィルムとの間に着脱自在に設けられる内装部材であって、前記巻回ラップフィルムの上部と前部と下部を囲むべく上片部（１１ａ），前片部（１１ｂ）および下片部（１１ｃ）を有する断面略コ字状で，後面に，前記巻回ラップフィルムが通過する後面開放部（１１ｄ）を有すると共に，前記上片部の後端部に断面略円弧状で前記巻回ラップフィルムの通過を円滑にするガイド部（１２）を有する本体部（１１）と、前記本体部の前側上端部から回動自在に突設され，前記箱本体の前壁と前記蓋体の垂直蓋部との間に位置し，おもて面（１３ａ）に前記巻回ラップフィルムの前端部（２０ａ）が上載される摘み片（１３）と、を備え、前記上片部と前片部との連接角部に補強片（Ｐ）を設け、前記摘み片のおもて面の一部または全体に粘着塗料層Ｌを設け、前記摘み片の下端中央部に，手の指の少なくとも一部が侵入できる大きさの切欠凹部（Ｒ）を設け、前記上片部の幅（Ｗ１）を，前記水平壁部の幅（Ｗ２）の６０〜８０％に設定したことを特徴とする巻回ラップフィルム用内装部材。
【請求項２】
食品包装用の巻回ラップフィルム（２０）と、前壁（３１ａ）を有する箱本体（３１）に，前記前壁の前面上部を覆うと共に，下端部に切断刃（３３）を設けた垂直蓋部（３２ａ）を有する蓋体（３２）を一体成形した収納箱（３０）と、前記収納箱に収納された巻回ラップフィルムの取扱いを容易にすべく，前記収納箱と前記巻回ラップフィルムとの間に着脱自在に設けられる内装部材（１０）と、を備え、前記内装部材を，前記巻回ラップフィルムの上部と前部と下部を囲むべく上片部（１１ａ），前片部（１１ｂ）および下片部（１１ｃ）を有する断面略コ字状で，後面に，前記巻回ラップフィルムが通過する後面開放部（１１ｄ）を有すると共に，前記上片部の後端部に断面略円弧状で前記巻回ラップフィルムの通過を円滑にするガイド部（１２）を有する本体部（１１）と、前記本体部の前側上端部から回動自在に突設され，前記箱本体の前壁と前記蓋体の垂直蓋部との間に位置し，おもて面（１３ａ）に前記巻回ラップフィルムの前端部（２０ａ）が上載される摘み片（１３）と、で構成し、前記上片部と前片部との連接角部に補強片（Ｐ）を設け、前記摘み片のおもて面の一部または全体に粘着塗料層Ｌを設け、前記摘み片の下端中央部に，手の指の少なくとも一部が侵入できる大きさの切欠凹部（Ｒ）を設け、前記上片部の幅（Ｗ１）を，前記水平壁部の幅（Ｗ２）の６０〜８０％に設定したことを特徴とするラップフィルム製品。
【考案の詳細な説明】
【技術分野】
【０００１】
本考案は、食品包装用の巻回ラップフィルムを収納した収納箱に着脱自在に設けられ、巻回ラップフィルムの取扱いを容易にすることのできる内装部材および当該内装部材を設けたラップフィルム製品に関するものである。
【背景技術】
【０００２】
従来から、食品包装用の巻回ラップフィルムが広く使用されている。こうした巻回ラップフィルムは、一般に、紙製で切断刃を有する収納箱に収納されており、その前端部を指で摘んで所定の長さを引き出した後、切断刃で切断して使用している。
こうした食品包装用の巻回ラップフィルムは透明で極めて薄いため、その取扱いが厄介であるといった問題がある。例えば、一度、引き出して使用した後の巻回ラップフィルムが巻き戻ってしまい、その前端部が巻回ラップフィルムの本体部分（円筒状部分）に付着してしまうことが多々ある。その場合、前端部を指で摘んで引き出す必要があるが、その前端部を視認することが困難であるため引き出す作業に多くの時間を要してしまう。
【０００３】
このような巻き戻りを防止するために最近では収納箱の前面に糊面部を設け、この糊面部に引き出した巻回ラップフィルムの前端部を貼り付けておくといった手段も創案されている。しかし、その機能は必ずしも十分とは言えず、さらなる改良が求められている。
【０００４】
本考案の考案者はこうした問題を解決すべく研究を重ねた結果、機能性を大幅に向上させた巻回ラップフィルム用内装部材とラップフィルム製品の開発に成功し、これを先に出願し登録されている（特許文献１参照）。
【先行技術文献】
【特許文献】
【０００５】
【特許文献１】実登録３２００２３５号公報
【考案の概要】
【考案が解決しようとする課題】
【０００６】
しかし、本考案の考案者は先の登録された巻回ラップフィルム用内装部材とラップフィルム製品に満足することなくさらなる研究を重ね、より優れた機能を備える製品を開発するに至った。
【０００７】
従って、本考案は、収納箱に収納された食品包装用の巻回ラップフィルムの取扱いをさらに容易にすることのできる内装部材、および当該内装部材を設けたラップフィルム製品を提供することを課題とする。
【課題を解決するための手段】
【０００８】
図１乃至図７を参照して説明する。請求項１に記載の巻回ラップフィルム用内装部材１０は、前壁３１ａを有する箱本体３１に、前記前壁３１ａの前面上部を覆うと共に、下端部に切断刃３３を設けた垂直蓋部３２ａを有する蓋体３２を一体成形した収納箱３０に収納された食品包装用の巻回ラップフィルム２０の取扱いを容易にすべく、前記収納箱３０と前記巻回ラップフィルム２０との間に着脱自在に設けられるものである。
【０００９】
この内装部材１０は、前記巻回ラップフィルム２０の上部と前部と下部を囲むべく上片部１１ａ、前片部１１ｂおよび下片部１１ｃを有する断面略コ字状で、後面に、前記巻回ラップフィルム２０が通過する後面開放部１１ｄを有すると共に、前記上片部１１ａの後端部に断面略円弧状で前記巻回ラップフィルム２０の通過を円滑にするガイド部１２を有する本体部１１と、前記本体部１１の前側上端部から回動自在に突設され、前記箱本体３１の前壁３１ａと前記蓋体３２の垂直蓋部３２ａとの間に位置し、おもて面１３ａに前記巻回ラップフィルム２０の前端部２０ａが上載される摘み片１３と、を備える。
【００１０】
また、前記上片部１１ａと前片部１１ｂとの連接角部に補強片Ｐを設ける。さらに、前記摘み片１３のおもて面１３ａの一部または全体に粘着塗料層Ｌを設けると共に、当該摘み片１３の下端中央部に、手の指の少なくとも一部が侵入できる大きさの切欠凹部Ｒを設ける。また、前記上片部１１ａの幅Ｗ１を、前記水平壁部の幅Ｗ２の６０〜８０％に設定する。
【００１１】
請求項２に記載のラップフィルム製品１は、食品包装用の巻回ラップフィルム２０と、前壁３１ａを有する箱本体３１に、前記前壁３１ａの前面上部を覆うと共に、下端部に切断刃３３を設けた垂直蓋部３２ａを有する蓋体３２を一体成形した収納箱３０と、前記収納箱３０に収納された巻回ラップフィルム２０の取扱いを容易にすべく、前記収納箱３０と前記巻回ラップフィルム２０との間に着脱自在に設けられる内装部材１０と、を備える。
【００１２】
そして、前記内装部材１０を、前記巻回ラップフィルム２０の上部と前部と下部を囲むべく上片部１１ａ、前片部１１ｂおよび下片部１１ｃを有する断面略コ字状で、後面に、前記巻回ラップフィルム２０が通過する後面開放部１１ｄを有すると共に、前記上片部１１ａの後端部に断面略円弧状で前記巻回ラップフィルム２０の通過を円滑にするガイド部１２を有する本体部１１と、前記本体部１１の上端部から回動自在に前方に突設され、前記箱本体３１の前壁３１ａと前記蓋体３２の垂直蓋部３２ａとの間に位置し、おもて面（上面）１３ａに前記巻回ラップフィルム２０の前端部２０ａが上載される摘み片１３とで構成した。
【００１３】
なお、前記上片部１１ａと前片部１１ｂとの連接角部に補強片Ｐを設ける。また、前記摘み片１３のおもて面１３ａの一部または全体に粘着塗料層Ｌを設けると共に、当該摘み片１３の下端中央部に、手の指の少なくとも一部が侵入できる大きさの切欠凹部Ｒを設ける。さらに、前記上片部１１ａの幅Ｗ１を、前記水平壁部の幅Ｗ２の６０〜８０％に設定する。
【考案の効果】
【００１４】
請求項１に記載の巻回ラップフィルム用内装部材１０は、本体部１１を、ガイド部１２を有する上片部１１ａと、前片部１１ｂと、下片部１１ｃとで構成し、その後面に後面開放部１１ｄを形成し、当該本体部１１の前側上端部から摘み片１３を回動自在に突設したので、巻回ラップフィルム２０を、後面開放部１１ｄからガイド部１２の上面、上片部１１ａの上面および摘み片１３のおもて面１３ａを滑らせるように通過させて容易に引き出すことができる。
【００１５】
また、摘み片１３を収納箱３０の前壁３１ａと垂直蓋部３２ａとの間に位置させているので、当該摘み片１３のおもて面１３ａに上載されている巻回ラップフィルム２０を垂直蓋部３２ａに設けた切断刃３３に強く押し付けることができる。
【００１６】
すなわち、摘み片１３によって前壁３１ａと垂直蓋部３２ａとの間の隙間をなくすと共に、当該摘み片１３と前壁３１ａとによる二つの部材（従って剛性が高い）によって巻回ラップフィルム２０を裏面側から支持するので、巻回ラップフィルム２０を垂直蓋部３２ａに設けた切断刃３３に強く押し付けることができる。その結果、巻回ラップフィルム２０をいわゆる途中切れさせることなく最後まで容易かつ確実に切断することができる。
【００１７】
また、摘み片１３によって前壁３１ａと切断刃３３を設けている垂直蓋部３２ａとの間に隙間を生じさせないので、指が隙間に入って切断刃３３に引っ掛かることがない。従って、安全性にも優れる。
【００１８】
なお、切断後、巻回ラップフィルム２０の前端部２０ａは、当然ながら、摘み片１３のおもて面１３ａに上載された状態となる。このとき、おもて面１３ａの一部または全体に粘着塗料層Ｌを形成したので、当該前端部２０ａを粘着塗料層Ｌに付着させることができる。従って、当該前端部２０ａの位置を一定箇所に留めることができるので、その引出しを容易に行うことができる。同時に、巻回ラップフィルム２０の巻き戻りを確実に防止することができる。
【００１９】
さらに、摘み片１３の下端中央部に、手の指の少なくとも一部が侵入できる大きさの切欠凹部Ｒを設けたので、当該切欠凹部Ｒに巻回ラップフィルム２０の前端部２０ａの一部を位置させることができる。従って、この切欠凹部Ｒに位置する巻回ラップフィルム２０の前端部２０ａの一部を、例えば親指Ｔと人差し指Ｆとで表裏から直接摘むことができる。その結果、当該巻回ラップフィルム２０をさらに容易かつ確実に引き出すことができる。
【００２０】
なお、摘み片１３は回動自在であるので、引っ張られる方向に自在に回動し、これによっても巻回ラップフィルム２０をより容易に引き出すことができる。
【００２１】
またさらに、上片部１１ａと前片部１１ｂとの連接角部に補強片Ｐを設けたので、上片部１１ａと前片部１１ｂの相対姿勢を安定させて上片部１１ａが開く方向に回動して巻回ラップフィルム２０の上方から移動してしまうのを防止することができる。これにより、巻回ラップフィルム２０を引き出している際に、当該巻回ラップフィルム２０が内装部材１０および収納箱３０から飛び出してしまうといった事態を未然に防止することができる。
【００２２】
さらに、上片部１１ａの幅Ｗ１を、水平壁部の幅Ｗ２の６０〜８０％に設定したので、巻回ラップフィルム２０を引き出す際に、当該巻回ラップフィルム２０が上片部１１ａに摺接する際の抵抗力を抑制することができる。従って、巻回ラップフィルム２０をさらに容易に引き出すことができる。
【００２３】
請求項２に記載のラップフィルム製品１は、巻回ラップフィルム２０と、切断刃３３を有する収納箱３０と、両者の間に設けられ、摘み片１３が収納箱３０の前壁３１ａと垂直蓋部３２ａとの間に位置する内装部材１０とで構成したので、上述したと同様に、当該内装部材１０のはたらきによって巻回ラップフィルム２０を途中切れさせることなく最後まで容易かつ確実に切断することができる。
【００２４】
また、摘み片１３によって前壁３１ａと垂直蓋部３２ａとの間に隙間を生じさせないので、指が垂直蓋部３２ａに設けた切断刃３３に引っ掛かることがない。従って、安全性にも優れる。さらに、巻回ラップフィルム２０の前端部２０ａを摘み片１３と共に摘んで容易に引き出すことができる。
【００２５】
また、請求項１に記載の考案と同様に、摘み片１３のおもて面１３ａの一部または全体に粘着塗料層Ｌを形成したので、巻回ラップフィルム２０の引き出しをさらに容易なものとすることができる。同時に、巻回ラップフィルム２０の巻き戻りを確実に防止することができる。
【００２６】
さらに、摘み片１３の下端中央部に、手の指の少なくとも一部が侵入できる大きさの切欠凹部Ｒを設けたので、当該切欠凹部Ｒに巻回ラップフィルム２０の前端部２０ａの一部を位置させることができる。従って、この切欠凹部Ｒに位置する巻回ラップフィルム２０の前端部２０ａの一部を表裏から直接に摘むことにより、さらに容易かつ確実に引き出すことができる。
【００２７】
また、上片部１１ａと前片部１１ｂとの連接角部に補強片Ｐを設けたことにより、上片部１１ａが開く方向に回動するのを防止することができる。従って、巻回ラップフィルム２０を引き出している際に、当該巻回ラップフィルム２０が内装部材１０および収納箱３０から飛び出してしまうといった事態を未然に防止することができる。
【００２８】
さらに、上片部１１ａの幅Ｗ１を、水平壁部の幅Ｗ２の６０〜８０％に設定したので、巻回ラップフィルム２０を引き出す際に、当該巻回ラップフィルム２０が上片部１１ａに摺接する際の抵抗力を小さくすることができる。従って、巻回ラップフィルム２０をさらに容易に引き出すことができる。
【図面の簡単な説明】
【００２９】
【図１】本考案に係るラップフィルム製品の実施形態を示す斜視図である。
【図２】図１のＸ−Ｘ線断面図である。
【図３】本考案に係る巻回ラップフィルム用内装部材の実施形態を示す斜視図である。
【図４】図３のＹ−Ｙ線断面図である。
【図５】図１および図２に示すラップフィルム製品において巻回ラップフィルムを通常の手法によって引き出す状態を示す概略側面図である。
【図６】図１および図２に示すラップフィルム製品において巻回ラップフィルムを通常の手法によって引き出す状態を示す要部拡大側面図である。
【図７】図１および図２に示すラップフィルム製品において巻回ラップフィルムを他の手法によって引き出す状態を示す要部拡大側面図である。
【考案を実施するための形態】
【００３０】
本考案に係る巻回ラップフィルム用内装部材１０の実施形態を、図３および図４に示す。また、当該内装部材１０を取り付けたラップフィルム製品１を、図１および図２に示す。この内装部材１０は、収納箱３０に収納された食品包装用の巻回ラップフィルム２０の取扱いを容易にするためのものである。収納箱３０は、前壁３１ａを有する箱本体３１に、当該前壁３１ａの前面上部を覆うと共に、下端部に鋸刃状の切断刃３３を設けた垂直蓋部３２ａを有する蓋体３２を一体成形している。
【００３１】
内装部材１０は、収納箱３０と巻回ラップフィルム２０との間に着脱自在に設けることができるものであり、本体部１１と摘み片１３を備える。なお、当該内装部材１０の成形材料は限定されず、例えば、紙や樹脂などの表面が滑らかな材料で成形することができる。
【００３２】
本体部１１は、巻回ラップフィルム２０の上部と前部と下部を囲む形態であり、上片部１１ａ、前片部１１ｂおよび下片部１１ｃを有する断面略コ字状である。また、その後面には、巻回ラップフィルム２０を通過させる後面開放部１１ｄを形成している。さらに、上片部１１ａの後端部には、巻回ラップフィルム２０の通過を容易にするための断面略円弧状のガイド部１２を設けている。ガイド部１２および上片部１１ａの上面は円滑面としている。
【００３３】
摘み片１３は、本体部１１の前側上端部から突設され、その基端部を軸として上下方向に回動自在である。この摘み片１３は箱本体３１の前壁３１ａと蓋体３２の垂直蓋部３２ａとの間に配置され、そのおもて面１３ａには巻回ラップフィルム２０の前端部２０ａが上載される。この摘み片１３のおもて面１３ａも円滑面である。
【００３４】
なお、本実施形態における上片部１１ａと前片部１１ｂとの連接角部には補強片Ｐを設けている。この補強片Ｐは、当該連接角部の長手方向の全長にわたって設けることができるし、その両端部のみに設けることもできる。さらには、適宜の複数箇所に設けることもできる。
【００３５】
また、本実施形態においては、摘み片１３のおもて面１３ａの全体に粘着塗料層Ｌを形成すると共に、当該摘み片１３の下端中央部に、手の指の少なくとも一部が侵入できる大きさの切欠凹部Ｒを設けている。なお、粘着塗料層Ｌは、おもて面１３ａの全体に設けることができる他、その一部に設けることもできる。粘着塗料層Ｌを形成する材料は、巻回ラップフィルム２０が容易に付着すると共に容易に離脱できる物質であればよく、特に限定されるものではない。
【００３６】
さらに、本実施形態では、上片部１１ａの幅Ｗ１を、水平壁部の幅Ｗ２の６０〜８０％にまで小さく設定している。
【００３７】
上記した内装部材１０を取り付けた本考案に係るラップフィルム製品１は、図１および図２に示すように、内装部材１０の他に、食品包装用の巻回ラップフィルム２０と収納箱３０を備える。
【００３８】
巻回ラップフィルム２０は紙製で円筒状の芯材２１に、透明で２０〜４０ｍの長さを持つラップフィルムを巻回して構成される。
【００３９】
収納箱３０は、箱本体３１と蓋体３２を有する。箱本体３１は前壁３１ａ、底壁３１ｂ、後壁３１ｃおよび二つの側壁３１ｄで構成される平面長方形の長尺状である。蓋体３２は、箱本体３１と一体成形されており、箱本体３１の上面を覆う水平蓋部３２ｂと、その前端部２０ａから垂下設され箱本体３１の前壁３１ａの前面上部を覆うと共に、下端部に切断刃３３を設けた垂直蓋部３２ａとで構成される。
【００４０】
内装部材１０は、収納箱３０と同様に紙製であり、前述したように、収納箱３０と巻回ラップフィルム２０との間に着脱自在に設けられる。この内装部材１０の構成は、上述の実施形態で示したものと同一である。内装部材１０の摘み片１３は、収納箱３０の垂直蓋部３２ａよりも僅かに長く設定し、そのおもて面１３ａに切断刃３３が当接するようにしている（図１、２参照）。こうすることで、巻回ラップフィルム２０を容易に切断することができる。
【００４１】
上記本実施形態に係る巻回ラップフィルム用内装部材１０およびそれを取り付けたラップフィルム製品１の作用について以下、説明する。
【００４２】
巻回ラップフィルム２０を使用するにあたり、本実施形態に係るラップフィルム製品１を開封後（あるいは、市販の製品の場合には、開封後に、本実施形態に係る内装部材１０を装着後）、所定の操作によって巻回ラップフィルム２０を引っ張ると、当該巻回ラップフィルム２０は後面開放部１１ｄから、ガイド部１２、上片部１１ａおよび摘み片１３のおもて面１３ａを滑るように通過する。
【００４３】
こうして引き出した巻回ラップフィルム２０を、収納箱３０の垂直蓋部３２ａを前壁３１ａ側へ押圧して垂直壁部３２ａの下端部に設けた切断刃３３で切断する。その際、内装部材１０の摘み片１３が収納箱３０の前壁３１ａと垂直蓋部３２ａとの間に位置し、巻回ラップフィルム２０は摘み片１３のおもて面１３ａに位置しているため、当該巻回ラップフィルム２０は垂直蓋部３２ａと摘み片１３および前壁３１ａとの間に強く挟持されて安定姿勢で保持される。
【００４４】
その結果、当該巻回ラップフィルム２０を、垂直蓋部３２ａの下端部に設けられた切断刃３３によって、途中切れすることなく最後まで、容易かつ正確に切断することができる。また、垂直壁部３２ａと摘み片１３および前壁３１ａとの間に隙間が形成されないので、指が隙間に入って切断刃３３に引っ掛かるという事態を防止することができる。従って、安全性にも優れる。
【００４５】
こうして切断された巻回ラップフィルム２０は、その前端部２０ａが垂直蓋部３２ａと摘み片１３の間に位置する。すなわち、巻回ラップフィルム２０の前端部２０ａは、摘み片１３のおもて面１３ａに上載されると共に、その中央部分が切欠凹部Ｒに位置する（図１、２、３参照）。この状態から巻回ラップフィルム２０をさらに引き出すには、収納箱３０の蓋体３２を開放状態にした後、摘み片１３の切欠凹部Ｒに位置している巻回ラップフィルム２０の前端部２０ａの中央部分を二本の指（例えば、親指Ｔと人差し指Ｆ）でその表裏から摘み（図６ａ）、その状態で引っ張る（図６（ｂ））。この際、巻回ラップフィルム２０（前端部２０ａの一部）を二本の指で直接摘むことができるので、確実かつ容易に引き出すことができる。当該巻回ラップフィルム２０を所定の長さ引き出した後、前述したと同様に、収納箱３０の蓋体３２を閉じて切断刃３３により切断する。
【００４６】
なお、図７に示すように、巻回ラップフィルム２０を、その前端部２０ａの中央部分以外の部分（例えば、中央部分の近傍部分）と摘み片１３とを摘んで状態で引っ張ることもできる。すなわち、摘み片１３とそのおもて面１３ａに上載されている巻回ラップフィルム２０の前端部２０ａの中央部分以外の部分を、親指Ｔと人差し指Ｆとで挟むようにして掴み（図７（ａ））、そのまま引っ張ることができる（同（ｂ））。こうすることによっても、巻回ラップフィルム２０を引き出すことが可能である。なお、この場合、本体部１１に固定されている摘み片１３は移動しないため、巻回ラップフィルム２０のみを容易に引き出すことができる。また、この際、当該摘み片１３は回動自在であるため摘みやすい姿勢に回動させることができ、従って、より容易に摘むことができる。
【００４７】
切断後の状態では前記したように巻回ラップフィルム２０の前端部２０ａは、その中央部分（一部）のみが切欠凹部Ｒに位置し、残部である殆どの部分は摘み片１３のおもて面１３ａに上載される。おもて面１３ａの全体には粘着塗料層Ｌが形成されているので、巻回ラップフィルム２０の前端部２０ａはその粘着塗料層Ｌに付着して、そこに留まる。従って、巻回ラップフィルム２０の引き出しを容易に行うことができる。また、巻回ラップフィルム２０の巻き戻りも未然に防止することができる。
【００４８】
また、巻回ラップフィルム２０の上部は上片部１１ａによって覆われている。従って、仮に、巻回ラップフィルム２０が不意にやや巻き戻されることがあったしても、その前端部２０ａが巻回フィルムの本体部分（筒状部分）にまで巻き込まれて当該本体部分に付着してしまうといった事態を未然に防止することができる。
【００４９】
なお、本実施形態では、内装部材１０にガイド部１２を形成し、また、ガイド部１２と上片部１１ａの上面および摘み片１３のおもて面１３ａ（上面）を円滑面としているので、当該巻回ラップフィルム２０を円滑かつ容易に引き出すことができる。
【００５０】
また、内装部材１０には、巻回ラップフィルム２０の前部と下部を囲む前片部１１ｂと下片部１１ｃを設けているので、当該巻回ラップフィルム２０を収納箱３０に安定姿勢で収納することができる。
【００５１】
本実施形態に係るラップフィルム用内装部材１０および当該内装部材１０を取り付けたラップフィルム製品１は、以下の作用効果を発揮する。
【００５２】
（イ）内装部材１０に摘み片１３を設け、当該摘み片１３を収納箱３０の前壁３１ａと垂直蓋部３２ａとの間に位置させているので、切断刃３３によって、巻回ラップフィルム２０を途中切れさせることなく最後まで容易かつ正確に切断することができる。
【００５３】
（ロ）内装部材１０の摘み片１３を、収納箱３０の垂直蓋部３２ａよりも僅かに長く設定し、そのおもて面１３ａに切断刃３３が当接するようにしている。これにより、巻回ラップフィルム２０を容易に切断することができる。
（ハ）摘み片１３を設けたことによって、切断刃３３を設けた垂直壁部３２ａと前壁３１ａとの間の隙間をなくすことができる。これにより、指が切断刃３３に引っ掛かることがなく、よって、安全性にも優れる。
【００５４】
（ニ）摘み片１３のおもて面１３ａの一部または全体に粘着塗料層Ｌを形成しているので、巻回ラップフィルム２０の前端部２０ａを粘着塗料層Ｌに付着させることができる。従って、巻回ラップフィルム２０をさらに容易に引き出すことができると共に、その巻き戻りを確実に防止することができる。
【００５５】
（ホ）摘み片１３の下端中央部に、手の指の少なくとも一部が侵入できる大きさの切欠凹部Ｒを設けているので、必然的に、当該切欠凹部Ｒに巻回ラップフィルム２０の前端部２０ａの一部を位置させることができる。従って、この切欠凹部Ｒに位置する巻回ラップフィルム２０の前端部２０ａを表裏から直接摘むことにより、さらに容易に引き出すことができる。
【００５６】
（ヘ）内装部材１０に断面略円弧状のガイド部１２を設けているので、巻回ラップフィルム２０を後面開放部１１ｄから円滑に引き出すことができる。
（ト）内装部材１０のガイド部１２、上片部１１ａおよび摘み片１３のおもて面１３ａを円滑面としているので、巻回ラップフィルム２０を円滑かつ容易に引き出すことができる。
（チ）内装部材１０に前片部１１ｂと下片部１１ｃを設けているので、巻回ラップフィルム２０を収納箱３０に安定姿勢で収納することができる。
【００５７】
（リ）上片部１１ａと前片部１１ｂとの連接角部に補強片Ｐを設けているので、上片部１１ａが開く方向に回動するのを防止することができる。これにより、巻回ラップフィルム２０を引き出している際に、当該巻回ラップフィルム２０が内装部材１０および収納箱３０から飛び出してしまうといった事態を未然に防止することができる。
【００５８】
（ヌ）上片部１１ａの幅Ｗ１を、水平壁部の幅Ｗ２の６０〜８０％にまで小さく設定したので、巻回ラップフィルム２０を引き出す際に、当該巻回ラップフィルム２０が上片部１１ａに摺接する際の抵抗力を小さくすることができる。従って、巻回ラップフィルム２０をさらに容易に引き出すことができる。
【符号の説明】
【００５９】
１        ラップフィルム製品
１０      内装部材
１１      本体部
１１ａ    上片部
１１ｂ    前片部
１１ｃ    下片部
１１ｄ    後面開放部
１２      ガイド部
１３      摘み片
１３ａ    おもて面
２０      巻回ラップフィルム
２０ａ    前端部
２１      芯材
３０      収納箱
３１      箱本体
３１ａ    前壁
３１ｂ    底壁
３１ｃ    後壁
３１ｄ    側壁
３２      蓋体
３２ａ    垂直蓋部
３２ｂ    水平蓋部
３３      切断刃
Ｆ        人差し指
Ｌ        粘着塗料層
Ｐ        補強片
Ｒ        切欠凹部
Ｔ        親指
Ｗ１      上片部の幅
Ｗ２      水平壁部の幅
【図１】
0003203681.tif 000003
【図２】
0003203681.tif 000004
【図３】
0003203681.tif 000005
【図４】
0003203681.tif 000006
【図５】
0003203681.tif 000007
【図６】
0003203681.tif 000008
【図７】
0003203681.tif 000009
【手続補正書】
【提出日】平成28年2月5日(2016.2.5)
【手続補正１】
【補正対象書類名】実用新案登録請求の範囲
【補正対象項目名】請求項２
【補正方法】変更
【補正の内容】
【請求項２】
食品包装用の巻回ラップフィルム（２０）と、前壁（３１ａ）を有する箱本体（３１）に，前記前壁の前面上部を覆うと共に，下端部に切断刃（３３）を設けた垂直蓋部（３２ａ）を有する蓋体（３２）を一体成形した収納箱（３０）と、前記収納箱に収納された巻回ラップフィルムの取扱いを容易にすべく，前記収納箱と前記巻回ラップフィルムとの間に着脱自在に設けられる内装部材（１０）と、を備え、前記内装部材を，前記巻回ラップフィルムの上部と前部と下部を囲むべく上片部（１１ａ），前片部（１１ｂ）および下片部（１１ｃ）を有する断面略コ字状で，後面に，前記巻回ラップフィルムが通過する後面開放部（１１ｄ）を有すると共に，前記上片部の後端部に断面略円弧状で前記巻回ラップフィルムの通過を円滑にするガイド部（１２）を有する本体部（１１）と、前記本体部の前側上端部から回動自在に突設され，前記箱本体の前壁と前記蓋体の垂直蓋部との間に位置し，おもて面（１３ａ）に前記巻回ラップフィルムの前端部（２０ａ）が上載される摘み片（１３）と、で構成し、前記上片部と前片部との連接角部に補強片（Ｐ）を設け、前記摘み片のおもて面の一部または全体に粘着塗料層Ｌを設け、前記摘み片の下端中央部に，手の指の少なくとも一部が侵入できる大きさの切欠凹部（Ｒ）を設け、前記上片部の幅（Ｗ１）を，水平壁部の幅（Ｗ２）の６０〜８０％に設定したことを特徴とするラップフィルム製品。
【手続補正２】
【補正対象書類名】明細書
【補正対象項目名】００１３
【補正方法】変更
【補正の内容】
【００１３】
なお、前記上片部１１ａと前片部１１ｂとの連接角部に補強片Ｐを設ける。また、前記摘み片１３のおもて面１３ａの一部または全体に粘着塗料層Ｌを設けると共に、当該摘み片１３の下端中央部に、手の指の少なくとも一部が侵入できる大きさの切欠凹部Ｒを設ける。さらに、前記上片部１１ａの幅Ｗ１を、水平壁部の幅Ｗ２の６０〜８０％に設定する。